(57)【要約】【課題】湯水の吐出口に子供が指を突っ込むのを防止できるようにした湯水循環用接続具を提供することにある。【解決手段】往路用並びに復路用の各湯水通路２４，３０を内部に区画形成した接続具本体３の前面部に、前面開口にフィルター２ｃを設けると共に外周部の２か所に開口部を形成したフィルターキャップ２を被せ、接続具本体３の後部に接続部材６を設け、フィルターキャップ２を浴槽内に臨むようにして浴槽の側部に設ける湯水循環用接続具１において、フィルターキャップ２の外周部の２か所の開口部８ｄに仕切り部１２を設け、また、接続具本体３の前面部と対峙するフィルターキャップ２の内面側に、接続具本体３の前面部に形成した２つの吸込口１０を仕切る仕切リブ４５を設けるとともに、この内面側の仕切リブ４５と連続する仕切リブ４５をフィルターキャップ２の内周面に設けた。【選択図】  図８
2005300152.tif 000002
【特許請求の範囲】
【請求項１】
往路用並びに復路用の各湯水通路を内部に区画形成した接続具本体の前面部に、前面開口にフィルターを設けると共に外周部の２か所に開口部を形成したフィルターキャップを被せ、接続具本体の後部に、循環経路に接続する往路用並びに復路用の各接続管を接続する接続部を有する接続部材を設け、フィルターキャップを浴槽内に臨むようにして浴槽の側部に設けられるようにした湯水循環用接続具において、前記のフィルターキャップの外周部の２か所の開口部に仕切り部を設けたことを特徴とする湯水循環用接続具。
【請求項２】
往路用並びに復路用の各湯水通路を内部に区画形成した接続具本体の前面部に、前面開口にフィルターを設けると共に外周部の２か所に吐出口となる開口部を形成したフィルターキャップを被せ、接続具本体の後部に、循環経路に接続する往路用並びに復路用の各接続管を接続する接続部を有する接続部材を設け、かつ、前記の接続具本体内に、往路用湯水通路に連通する往路用副湯水通路と、復路用湯水通路に連通する復路用副湯水通路を夫々区画形成し、往路用湯水通路及び往路用副湯水通路に連通する開口部、並びに復路用湯水通路及び復路用副湯水通路に連通する開口部を、接続具本体の外周部に夫々形成し、前記の各開口部に開閉板を設けると共に、往路用湯水通路と往路用副湯水通路との連通部、並びに復路用湯水通路と復路用副湯水通路との連通部に、夫々開閉可能な仕切板を設け、前記のフィルターキャップを浴槽内に臨むようにして浴槽の側部に設けた湯水循環用接続具において、前記のフィルターキャップの外周部の２か所の吐出口となる開口部に仕切り部を設けたことを特徴とする湯水循環用接続具。
【発明の詳細な説明】
【技術分野】
【０００１】
本発明は、強制循環式給湯機と浴槽との間で湯水を強制循環させるのに使用する湯水循環用接続具に関するものである。
【背景技術】
【０００２】
従来から浴槽と強制循環式給湯機との間で湯水を強制循環させるために、浴槽の側部に設け、往路用接続管並びに復路用接続管を介して強制循環式給湯機と接続するようにした湯水循環用接続具にも各種のものがある。
【０００３】
また、最近では湯水循環用接続具の２つの接続部に対する往路用接続管並びに復路用接続管の接続ミスを無くしたり、各接続管の施工時における作業能率を上げるために、湯水循環用接続具の後部に設けた２つの接続部（往路用並びに復路用）の何方に往路用接続管並びに復路用接続管を接続しても、湯水の強制循環が損なわれることのないようにした湯水循環用接続具（通称、無極性タイプの湯水循環用接続具）も数多く開発され使用されている。これらの従来の無極性タイプの湯水循環用接続具に相当する強制循環用浴槽連結装置としては、下記の公報に開示されているものなどが挙げられる。
【０００４】
【特許文献１】実公平３ー３４６０７号公報
【特許文献２】特開平１０ー４７７８３号公報
【特許文献３】特開平１０ー８２５６３号公報
【発明の開示】
【発明が解決しようとする課題】
【０００５】
図１５に示すように従来の湯水循環用接続具１０５においては、外周部に形成した湯水の吐出口１０３、１０４に誤って子供が指を突っ込んだ場合に抜けなくなるといった問題があった。
【０００６】
本発明は、前記のような点に鑑みて開発されたものであり、その目的とするところは、湯水の吐出口に子供が指を突っ込むのを防止できるようにした湯水循環用接続具を提供することにある。
【課題を解決するための手段】
【０００７】
本発明は前記の目的を有効に達成するために、次のような構成にしてある。すなわち、請求項１記載の本発明の湯水循環用接続具は、往路用並びに復路用の各湯水通路を内部に区画形成した接続具本体の前面部に、前面開口にフィルターを設けると共に外周部の２か所に開口部を形成したフィルターキャップを被せ、接続具本体の後部に、循環経路に接続する往路用並びに復路用の各接続管を接続する接続部を有する接続部材を設け、フィルターキャップを浴槽内に臨むようにして浴槽の側部に設けられるようにした湯水循環用接続具において、前記のフィルターキャップの外周部の２か所の開口部に仕切り部を設けた構成にしてある。
【０００８】
また、請求項２記載の本発明の湯水循環用接続具は、往路用並びに復路用の各湯水通路を内部に区画形成した接続具本体の前面部に、前面開口にフィルターを設けると共に外周部の２か所に吐出口となる開口部を形成したフィルターキャップを被せ、接続具本体の後部に、循環経路に接続する往路用並びに復路用の各接続管を接続する接続部を有する接続部材を設け、かつ、前記の接続具本体内に、往路用湯水通路に連通する往路用副湯水通路と、復路用湯水通路に連通する復路用副湯水通路を夫々区画形成し、往路用湯水通路及び往路用副湯水通路に連通する開口部、並びに復路用湯水通路及び復路用副湯水通路に連通する開口部を、接続具本体の外周部に夫々形成し、前記の各開口部に開閉板を設けると共に、往路用湯水通路と往路用副湯水通路との連通部、並びに復路用湯水通路と復路用副湯水通路との連通部に、夫々開閉可能な仕切板を設け、前記のフィルターキャップを浴槽内に臨むようにして浴槽の側部に設けた湯水循環用接続具において、前記のフィルターキャップの外周部の２か所の吐出口となる開口部に仕切り部を設けた構成にしてある。
【発明の効果】
【０００９】
本発明の湯水循環用接続具では、フィルターキャップの外周部の２か所の開口部に仕切り部を設けたことによって、子供が開口部に指を突っ込もうとしても、仕切り部によって挿入を阻止されるため、従来のように開口部に指を突っ込んでも指が抜けなくなるといったことを防止することができて安全である。
【発明を実施するための最良の形態】
【００１０】
以下、本発明の実施の形態を添付の図１〜図１２に基づいて説明する。図１は本発明に係る湯水循環用接続具の分解斜視図、図２はフィルターキャップの内面側に仕切リブを設けた簡略の説明図、図３は別の例のフィルターキャップの内面側に仕切リブを設けた簡略の説明図、図４は本発明に係る接続部材の簡略の説明図、図５は本発明に係る接続部材の正面から見た斜視図、図６は本発明に係る接続部材の裏面から見た斜視図、図７は本発明に係るフィルターキャップの一部を切欠した正面図、図８は本発明に係るフィルターキャップの平面図、図９はフィルターキャップの内面側及び内周面の所定の一箇所に仕切リブを設けた簡略の説明図、図１０はフィルターキャップの内面側及び内周面の所定の二箇所に仕切リブを設けた簡略の説明図、図１１はフィルターキャップの内周面の所定の一箇所に仕切リブを設けた簡略の説明図、図１２はフィルターキャップの内周面の所定の二箇所に仕切リブを設けた簡略の説明図である。
【００１１】
本発明に係る湯水循環用接続具１（図１参照）は、フィルターキャップ２と、後述する接続具本体３と、接続部４、５を有する接続部材６とによって構成されている。接続部材６の各接続部４、５には、強制循環式給湯機（図示せず）に接続する往路用並びに復路用の各接続管（図示せず）が接続される。
【００１２】
前記のフィルターキャップ２は、合成樹脂材によって形成された断面コ字状のキャップ本体２ａと、キャップ本体２ａの外面側に外嵌できるようにステンレス材等の金属材で断面コ字状に形成したキャップケース２ｂと、このキャップケース２ｂと前記のキャップ本体２ａの円形状の前面７との間に設けるフィルター２ｃとからなる。
【００１３】
また、前記のキャップ本体２ａの前面７と、この前面７と対峙するキャップケース２ｂの同一箇所には、略三角形状の複数の前面開口８ａ、８ｂが中心から円周方向に一定間隔毎に形成されている。さらに、キャップ本体２ａとキャップケース２ｂとの外周部の対峙する位置の２か所には、湯水吐出用の開口部８ｄが形成されている。
【００１４】
また、キャップ本体２ａの所定の前面開口８ｃには、塵類吸込み防止板９が設けられている。この塵類吸込み防止板９は、フィルターキャップ２を後述する接続具本体３の前面側に取付けたときに、対峙するフィルター２ｃとの間で所定の隙間（１ｍｍ〜数ｍｍ位の隙間）を生じるように、キャップ本体２ａ又は接続具本体３に形成されている。勿論、塵類吸込み防止板９は、キャップ本体２ａ及び接続具本体３と別体であってもよい。
【００１５】
尚、本発明に係るフィルターキャップ２は、図７、図８に示すようにフィルターキャップ２を構成するキャップケース２ｂ及び／またはキャップ本体２ａの開口部８ｄに、子供が指等を挿入できないように柵状の仕切り部１２を形成するのが好ましい。この仕切り部１２は、柵状以外にも格子状、その他湯水の流通が可能で子供が指等を挿入できなければ如何なる形状の仕切り部１２とするも自由である。
【００１６】
次に本発明の湯水循環用接続具１を構成する一例の接続具本体３（図１参照）は、本体キャップ部１３と、本体部１４と、接続受具１５及び環状のパッキン１６（通常は複数使用、図示省略）とによって構成されている。
【００１７】
本体キャップ部１３は、フィルターキャップ２の内周面に係合できる円形状であって、中央の左右に隣接するようにして小円弧状の第一溝孔１７及び第二溝孔１８が前後方向に貫通するようにして区画形成されている。この第一溝孔１７と第二溝孔１８は、前記のフィルターキャップ２を接続具本体３側に取付けた時に、塵類吸込み防止板９と対峙し且つこの塵類吸込み防止板９によって僅かの隙間を以て被われる。
【００１８】
また、フィルターキャップ２のキャップ本体２ａと対峙する接続具本体３の本体キャップ部１３には、図示のような横断面四角形の角軸状の仕切リブ４５が中央に形成されている。勿論、仕切リブ４５の横断面は他の形状であってもよい。
【００１９】
この仕切リブ４５は、フィルターキャップ２を接続具本体３の前面に取付けた時に、フィルターキャップ２の内面に圧接されて、両吸込口１０（第一溝孔１７及び第二溝孔１８）を連通しないように仕切ることができる。仕切リブ４５の大きさ、形状は、前記の２つの吸込口１０を仕切ることができれば、如何なる形状、大きさに設計変更してもよい。
【００２０】
尚、仕切リブ４５は、前記の本体キャップ部１３に形成することなく、接続具本体３の本体キャップ部１３と対峙するフィルターキャップ２のキャップ本体２ａ（図２参照）の内面中央の上端から下端まで形成するも、或いは図３に示すように上端から下端近傍まで形成してもよい。さらには、図９、図１０に示すようにフィルターキャップ２のキャップ本体２ａ（図２参照）の内面中央に形成した仕切リブ４５と連続するようにして、この仕切リブ４５の一端又は／及び両端からキャップ本体２ａの内周面に仕切リブ４５ａ又は／及び４５ｂを形成してもよい。
【００２１】
このようにフィルターキャップ２側に仕切リブ４５、４５ａ、４５ｂを設けることによっても、フィルターキャップ２を接続具本体３の前面に取付けた時、仕切リブ４５（及び仕切リブ４５ａ又は／及び４５ｂ）は、接続具本体３の前面の左右に形成した２つの吸込口１０（第一溝孔１７及び第二溝孔１８）の間に当接し、両吸込口１０が連通しないように仕切ることができる。
【００２２】
また、接続具本体３の前面部、すなわち、前記のように本体キャップ部１３の前面の中央に仕切リブ４５を設けた場合、この仕切リブ４５（図１参照）の一端（４６又は４７）又は両端（４６及び４７）と対峙するフィルターキャップ２（図１１、図１２参照）のキャップ本体２ａの内周面に、仕切リブ４５ａ又は／及び４５ｂを設けることにより、フィルターキャップ２を接続具本体３（図１参照）の前面に取付けた時に、本体キャップ部１３側の仕切リブ４５の一端（４６又は４７）又は両端（４６及び４７）と、フィルターキャップ２側の仕切リブ４５ａ又は／及び４５ｂとの当接によって、本体キャップ部１３（図１参照）の両吸込口１０が連通しないように、より確実に仕切ることができる。
【００２３】
前記の本体キャップ部１３の裏面側には、本体部１４の３か所に形成した挿入凹部１９に挿着できる突起部２０が、夫々１２０°間隔毎に形成されている。
【００２４】
また、前記の本体部１４は、本体キャップ部１３を前面側に着脱可能に冠着できる湯水通路形成部２１と、この湯水通路形成部２１の後部中央に形成した筒部２２とからなる。
【００２５】
湯水通路形成部２１には、中央の仕切り部２３を介して片側に、往路用湯水通路２４並びにこの往路用湯水通路２４に連通する往路用副湯水通路２５が区画形成されている。往路用副湯水通路２５は、湯水通路形成部２１に本体キャップ部１３を嵌着した場合に第一溝孔１７と連通するように形成してある。往路用湯水通路２４は、湯水通路形成部２１の斜め下方の外周部に形成した開口部２６に連通するように形成してある。
【００２６】
また、開口部２６の近傍には、開口部２６を開閉できるように開閉板２７が開閉可能に設けられている。この開閉板２７は、外方に開放でき且つ往路用湯水通路２４側に閉じるように作動する。
【００２７】
往路用湯水通路２４と往路用副湯水通路２５の交わる連通部２８には、往路用湯水通路２４と往路用副湯水通路２５との連通を遮ったり、或いは連通できるようにする仕切板２９が開閉可能に設けられている。この仕切板２９は、前記の開口部２６方向に開放でき、往路用副湯水通路２５側に閉じるように作動する。
【００２８】
往路用湯水通路２４の湯水通路形成部２１の中央部側には、前記した筒部１７と連通するように孔部（図示省略）が形成されている。
【００２９】
さらに、往路用湯水通路２４は、開口部２６（開閉板２７を設けた位置）に近づくに従って横断面積を漸次小さくなるように傾斜形成してある。
【００３０】
一方、湯水通路形成部２１の中央の仕切り部２３を介して他の片側には、復路用湯水通路３０並びにこの復路用湯水通路３０に連通する復路用副湯水通路３１が区画形成されている。復路用副湯水通路３１は、湯水通路形成部２１に本体キャップ部１３を嵌着した場合に第二溝孔１８と連通するように形成されている。復路用湯水通路３０は、湯水通路形成部２１の斜め下方の外周部に形成した開口部３２に連通するように形成されている。
【００３１】
開口部３２の近傍には、開口部３２を開閉できるように開閉板３３が開閉可能に設けられている。この開閉板３３は、外方に開放でき且つ復路用湯水通路３０側に閉じるように作動する。
【００３２】
さらに、復路用湯水通路３０と復路用副湯水通路３１の交わる連通部３５には、復路用湯水通路３０と復路用副湯水通路３１との連通を遮ったり、或いは連通できるようにする仕切板３４が開閉可能に設けられている。この仕切板３４は、前記の開口部３２方向に開放でき、復路用副湯水通路３１側に閉じるように作動する。また、復路用湯水通路３０の湯水通路形成部２１の中央部側は、後部側に貫通孔（図示省略）を形成してある。復路用湯水通路３０は、開口部３２（開閉板３３を設けた位置）に近づくに従って横断面積を漸次小さくなるように傾斜形成してある。
【００３３】
尚、図示の例では、図中符号２４を往路用湯水通路、２５を往路用副湯水通路、３０を復路用湯水通路、３１を復路用副湯水通路として説明しているが、図中符号３０を往路用湯水通路とし、３１を往路用副湯水通路とし、２４を復路用湯水通路とし、２５を復路用副湯水通路としてもよい。接続部材６に対する往路用接続管（図示せず）並びに復路用接続管（図示せず）の接続のしかたによって、図中の符号のような通路構成となったり、前記した３０が往路用湯水通路となるような通路構成となる。
【００３４】
次に接続受具１５は、筒部３６の一端にフランジ状の受け部３７とを形成したものであり、筒部３６の外周面には雄ネジ３８が形成されている。受け部３７には一体間隔毎に複数の突起部３９が形成され、各突起部３９には、ネジ孔４０が形成されている。ネジ（図示せず）を介して受け部３７の所定の突起部３９は、前記した湯水通路形成部２１と結合できるようにしてある。
【００３５】
パッキン１６は、ゴムや合成樹脂材等によって環状に形成されたものである。
【００３６】
次に接続部材６は、有底の筒状であって中央に筒部４１を形成してある。筒部４１は、筒部４１に一体に形成された接続部４に連通している。筒部４１と外筒部４２との間の空間通路４３は、筒部４１に一体で形成された接続部５に連通している。さらに、外筒部４２の開口端近傍の内周面には、雌ネジ４４が形成され、接続受具１５の雄ネジ３８と螺合できるようにしてある。
【００３７】
前記の両接続部４、５（図４及び図５、図６参照）は、基端部４ａ、５ａの中心を繋ぐ中心線ＣＬを接続部材６の接続具本体３側の開口端面６ａに対して斜めとなるようにして接続部材６に設けてある。接続部４の基端部４ａ（図５、図６参照）は、筒部４１の底部４１ａの中心に位置させて設けてあるため、筒部４１と接続部４との連通口部４１ｂの開口面積を広くすることができて通水抵抗を小さくすることができる。さらに、接続部５の基端部５ａは、外筒部４２の側部４２ａに設けてあるため、空間通路４３との連通口部４２ｂの開口面積を広くすることができて通水抵抗を小さくすることができる。また、両接続部４、５間のピッチＰ3 は、従来に比べ大きくできるため接続部４、５への施工を容易に行うことができるようになる。尚、前記した中心線ＣＬの傾斜角度は図示の例に限らず、接続部材６の開口端面６ａに対して鋭角であれば如何なる傾斜角度に設計変更するもの自由である。勿論、連通口部４１ｂ、４２ｂの開口面積は、従来の接続部材に比べ広くなるようにする。
【００３８】
前記のような構成からなる湯水循環用接続具１にあっては、湯水通路形成部２１を接続受具１５に連結すると共に、本体キャップ部１３を湯水通路形成部２１の前面に嵌着し、さらにフィルターキャップ２を本体キャップ部１３の前面に嵌着する。この場合、フィルターキャップ２の塵類吸込み防止板９は、接続具本体３の吸込口１０（第一溝孔１７、第二溝孔１８）と対峙して、この吸込口１０を湯水吸い込み可能に被うことになる。また、仕切リブ４５（及び仕切リブ４５ａ又は／及び４５ｂ）によって両吸込口１０（第一溝孔、第二溝孔）は、フィルターキャップ２との間で連通しないように仕切られる。さらに、フィルターキャップ２の開口部８ｄは湯水通路形成部２１の開口部３２と一致し、かつ、フィルターキャップ２の外周部に形成したもう一方の開口８ｄは、湯水通路形成部２１の開口部２６と一致する。
【００３９】
このようにして組み合わせたフィルターキャップ２と接続具本体３とを、浴槽内に配し、フィルターキャップ２を浴槽内に臨ませて、浴槽の側部（図示せず）に形成した孔に接続受具１５の筒部３６をパッキン１６を設けて挿入し、浴槽の外側から接続部材６の雌ネジ４４と、接続受具１５の筒部３６の雄ネジ３８を螺合させて、フィルターキャップ２並びに接続具本体３と、接続部材６とを浴槽の側部に取り付ける。この場合、接続具本体３の開口部３２、２３並びにフィルターキャップ２の両開口部８ｄ、８ｅは、浴槽の底部側に臨んでいる。また、接続部材６の筒部４１内には、本体部１４の筒部１７が挿入され連結されている。
【００４０】
浴槽の側部（図示せず）に取り付けた湯水循環用接続具１の接続部５には、往路用接続管（図示せず）を接続し、接続部６には復路用接続管（図示せず）を接続するが、逆の接続であってもよい。この両接続管は強制循環式給湯機（図示せず）に接続される。このようにして浴槽に水を適宜の水位まで満たし強制循環式給湯機を作動させる。
【００４１】
この場合、接続部４から筒部４１を介して接続具本体３の筒部２２に流入した湯水は、湯水通路形成部２１の往路用湯水通路２４に入り、この往路用湯水通路２４を介して開口部２６から開閉板２７を水圧で開けて浴槽内の底部側に吐出される。
【００４２】
この時、仕切板２９は、水圧により閉じた状態となっている。
【００４３】
一方、この状態の時に、フィルターキャップ２の前面開口８ａ、８ｂ、８ｃからフィルター２ｃを介し、本体キャップ部１３の第二溝孔１８から復路用副湯水通路３１内に吸引流入された湯水は、水流によって仕切板３４を開放して復路用湯水通路３０に流入し、この復路用湯水通路３０から貫通孔３４（図示省略）、接続受具１５の筒部３６と本体部１４の筒部２２との間から接続部材６の空間通路４３を介して、接続部５から復路用接続管（図示せず）、強制循環式給湯機（図示せず）へと戻される。この時、開閉弁３３は、吸引力により閉じた状態となっている。
【００４４】
この復路用の湯水の流れにおいて、前面開口８ｃからフィルター２ｃを介し、第二溝孔１８に流入する湯水は、直接、第二溝孔１８に吸い込まれるのではなく、フィルター２ｃを通過した後にフィルター２ｃと塵類吸込み防止板９との間の隙間１１に流入し、塵類吸込み防止板９に当たって、この塵類吸込み防止板９の上下方向に流れて第二溝孔１８に吸い込まれていく。
【００４５】
尚、本発明は、図示の例の湯水循環用接続具の構成に限定されるものではなく、本発明の要部を有するフィルターキャップ２及び接続部材６を使用するならば、湯水循環用接続具を構成する他の構成である接続具本体３は、図示の構成以外の構成であってもよい。
【図面の簡単な説明】
【００４６】
【図１】本発明に係る湯水循環用接続具の分解斜視図である。
【図２】フィルターキャップの内面側に仕切リブを設けた簡略の説明図である。
【図３】別の例のフィルターキャップの内面側に仕切リブを設けた簡略の説明図である。
【図４】本発明に係る接続部材の簡略の説明図である。
【図５】本発明に係る接続部材の正面から見た斜視図である。
【図６】本発明に係る接続部材の裏面から見た斜視図である。
【図７】本発明に係るフィルターキャップの一部を切欠した正面図である。
【図８】本発明に係るフィルターキャップの平面図である。
【図９】フィルターキャップの内面側及び内周面の所定の一箇所に仕切リブを設けた簡略の説明図である。
【図１０】フィルターキャップの内面側及び内周面の所定の二箇所に仕切リブを設けた簡略の説明図である。
【図１１】フィルターキャップの内周面の所定の一箇所に仕切リブを設けた簡略の説明図である。
【図１２】フィルターキャップの内周面の所定の二箇所に仕切リブを設けた簡略の説明図である。
【図１３】従来の接続部材の簡略の説明図である。
【図１４】従来の他の例の接続部材の簡略の説明図である。
【図１５】従来の一例の湯水循環用接続具の断面を示す説明図である。
【符号の説明】
【００４７】
１        湯水循環用接続具
２ｃ      フィルター
２        フィルターキャップ
３        接続具本体
４        接続部
４ａ      基端部
５ａ      基端部
５        接続部
６ａ      開口端面
６        接続部材
８ａ      前面開口
８ｂ      前面開口
８ｃ      前面開口
８ｄ      開口部
１０      吸込口
１２      仕切り部
２４      湯水通路（往路用）
２５      湯水通路（往路用副）
２６      開口部（吐出口）
３０      湯水通路（復路用）
３１      湯水通路（復路用副）
３２      開口部（吐出口）
４１      筒部
４１ａ    底部
４２      外筒部
４２ａ    側部
４５      仕切リブ
４５ａ    仕切リブ
４５ｂ    仕切リブ
ＣＬ      中心線
【図１】
2005300152.tif 000003
【図２】
2005300152.tif 000004
【図３】
2005300152.tif 000005
【図４】
2005300152.tif 000006
【図５】
2005300152.tif 000007
【図６】
2005300152.tif 000008
【図７】
2005300152.tif 000009
【図８】
2005300152.tif 000010
【図９】
2005300152.tif 000011
【図１０】
2005300152.tif 000012
【図１１】
2005300152.tif 000013
【図１２】
2005300152.tif 000014
【図１３】
2005300152.tif 000015
【図１４】
2005300152.tif 000016
【図１５】
2005300152.tif 000017